(57)【要約】【課題】取り外し可能なバッテリを電源とし、作業性に優れた往復動工具を提供する。【解決手段】ハンマ１は、モータ３１と、駆動機構４と、モータ３１と駆動機構４を収容するハウジング２０と、ハウジング２０に設けられたバッテリ装着部２９とを備える。駆動機構４は、モータシャフト３１５の後側に配置され、モータシャフト３１５の回転軸Ａ２に平行な回転軸Ａ３周りに回転するクランクシャフト４１を含む。バッテリ装着部２９は、略直方体形状を有する１つのバッテリ９３を着脱可能に構成されている。バッテリ装着部２９は、モータ３１の下側に配置され、バッテリ９３を左右方向に装着可能、且つ、バッテリ９３が装着されたときに、バッテリ９３の重心Ｇが、前後方向において回転軸Ａ２と第２回転軸Ａ３の間に位置するように構成されている。【選択図】  図３
2020199608.tif 000002
【特許請求の範囲】
【請求項１】
往復動工具であって、
第１回転軸周りに回転可能なモータシャフトを有するモータと、
前記モータシャフトの回転に伴って、前記第１回転軸に平行な第２回転軸周りに回転するように構成されたクランクシャフトを含み、前記第２回転軸に直交する駆動軸に沿って、先端工具を直線状に往復動させる動作を遂行可能に構成された駆動機構と、
前記モータおよび前記駆動機構を収容するハウジングと、
前記ハウジングに設けられ、略直方体形状を有する１つのバッテリを着脱可能に構成されたバッテリ装着部とを備え、
前記第１回転軸の延在方向、前記駆動軸の延在方向、ならびに、前記第１回転軸および前記駆動軸に直交する方向は、夫々、前記往復動工具の上下方向、前後方向、および左右方向を規定し、
前記クランクシャフトは、前記モータシャフトの後側に配置されており、
前記バッテリ装着部は、
前記モータの下側に配置され、
前記バッテリを前記左右方向に装着可能、且つ、前記バッテリが装着されたときに、前記バッテリの重心が、前記前後方向において前記第１回転軸と前記第２回転軸の間に位置するように構成されていることを特徴とする往復動工具。
【請求項２】
請求項１に記載の往復動工具であって、
前記前後方向において、前記バッテリ装着部に対して前側に設けられ、前記バッテリ装着部に前記バッテリが装着された場合に、前記バッテリの前面側部分を外力から保護するように構成された前側保護部と、
前記前後方向において、前記バッテリ装着部に対して後側に設けられ、前記バッテリ装着部に前記バッテリが装着された場合に、前記バッテリの後面側部分を外力から保護するように構成された後側保護部とを更に備えたことを特徴とする往復動工具。
【請求項３】
請求項２に記載の往復動工具であって、
前記後側保護部の内部に配置され、前記モータの駆動を制御するように構成された制御回路を含むコントローラを更に備えたことを特徴とする往復動工具。
【請求項４】
請求項３に記載の往復動工具であって、
前記コントローラは、長さ、幅および厚みを有する略直方体形状を有し、
前記長さ、前記幅および前記厚みのうち、前記長さが最大、前記厚みが最小であって、
前記コントローラは、厚み方向が前記前後方向と一致し、且つ、前記長さ方向が前記左右方向と一致する向きで配置されていることを特徴とする往復動工具。
【請求項５】
請求項２〜４の何れか１つに記載の往復動工具であって、
使用者による把持が可能に構成され、前記上下方向に延在する筒状の把持部と、
前記把持部の下端部と前記後側保護部の後端部とを接続する中空の接続部とを更に備えることを特徴とする往復動工具。
【請求項６】
請求項５に記載の往復動工具であって、
前記接続部は、外気を前記内部空間に流入させるための吸気口を有することを特徴とする往復動工具。
【請求項７】
請求項５または６に記載の往復動工具であって、
前記接続部の内部に配置され、外部機器と無線通信可能に構成された無線通信ユニットを更に備えたことを特徴とする往復動工具。
【請求項８】
請求項１〜７の何れか１つに記載の往復動工具であって、
前記ハウジングのうち、前記バッテリ装着部に前記バッテリが装着されたときに前記バッテリに設けられた係合解除用ボタンに隣接する部分には、指を挿入可能な凹部が設けられていることを特徴とする往復動動工具。
【請求項９】
請求項１〜８の何れか１つに記載の往復動工具であって、
前記バッテリ装着部に取り外し可能に装着されたバッテリを更に備えたことを特徴とする往復動工具。
【発明の詳細な説明】
【技術分野】
【０００１】
本発明は、先端工具を直線状に往復動させるように構成された往復動工具に関する。
【背景技術】
【０００２】
モータの動力によって、先端工具を所定の駆動軸に沿って直線状に往復動させることで、被加工物に対する加工作業を行う手持ち式の往復動工具が知られている。このような往復動工具には、工具本体に取り外し可能に装着されたバッテリから供給される電力で動作するものがある。例えば、特許文献１には、ハウジングの下端部に、２つのバッテリを着脱可能なバッテリ装着部が設けられたハンマドリルが開示されている。
【先行技術文献】
【特許文献】
【０００３】
【特許文献１】特開２０１８―７９５５７号公報
【発明の概要】
【発明が解決しようとする課題】
【０００４】
特許文献１に開示されているハンマドリルでは、２つのバッテリが前後方向に並んで装着され、後方のバッテリはモータハウジングよりも後方に延在する。このため、バッテリ全体としての重心がハンマドリルの重心から後方に離れる傾向にあり、作業性の低下につながる可能性がある。
【０００５】
本発明は、かかる状況に鑑み、取り外し可能なバッテリを電源とし、作業性に優れた往復動工具を提供することを目的とする。
【課題を解決するための手段】
【０００６】
本発明の一態様によれば、モータと、駆動機構と、ハウジングと、バッテリ装着部とを備えた往復動工具が提供される。モータは、第１回転軸周りに回転可能なモータシャフトを有する。駆動機構は、モータシャフトの回転に伴って、第２回転軸周りに回転するように構成されたクランクシャフトを含む。第２回転軸は、第１回転軸に平行である。駆動機構は、第２回転軸に直交する駆動軸に沿って、先端工具を直線状に往復動させる動作を遂行可能に構成されている。ハウジングは、モータおよび駆動機構を収容する。バッテリ装着部は、ハウジングに設けられ、略直方体形状を有する１つのバッテリを着脱可能に構成されている。第１回転軸の延在方向、駆動軸の延在方向、ならびに、第１回転軸および駆動軸に直交する方向は、夫々、往復動工具の上下方向、前後方向、および左右方向を規定する。クランクシャフトは、モータシャフトの後側に配置されている。バッテリ装着部は、モータの下側に配置されている。また、バッテリ装着部は、バッテリを左右方向に装着可能、且つ、バッテリが装着されたときに、バッテリの重心が、前後方向において第１回転軸と第２回転軸の間に位置するように構成されている。
【０００７】
本態様の往復動工具では、１つのバッテリのみが、モータの下側でバッテリ装着部に装着される。よって、複数のバッテリが前後方向に並んで装着される場合に比べ、前後方向においてハウジングをコンパクトにすることができる。また、バッテリ装着部は、バッテリ装着部に装着されたときのバッテリの重心が、前後方向において（つまり、右側または左側からみて）、モータシャフトの第１回転軸と、クランクシャフトの第２回転軸の間に位置するように構成されている。つまり、バッテリ装着部は、バッテリの重心が、比較的重量が大きいモータおよびクランクシャフトの夫々の重心の近傍に位置するように構成されている。このような重心の集中化により、バッテリの重心が往復動工具の重心から離れることを抑制することができ、作業性に優れた往復動工具を実現することができる。なお、本態様でいう「往復動工具」は、モータの動力によって先端工具を直線状に往復動させるように構成された作業工具一般を指すものである。このような作業工具の例として、ハンマドリル、電動ハンマ、レシプロソーが挙げられる。
【０００８】
本発明の一態様において、往復動工具は、前側保護部と後側保護部とを更に備えてもよい。前側保護部は、前後方向において、バッテリ装着部に対して前側に設けられ、バッテリ装着部にバッテリが装着された場合に、バッテリの前面側部分を外力から保護するように構成されている。後側保護部は、前後方向において、バッテリ装着部に対して後側に設けられ、バッテリ装着部にバッテリが装着された場合に、バッテリの後面側部分を外力から保護するように構成されている。バッテリのうち、バッテリ装着部に装着されたときにバッテリ装着部から露出する部分は、外力が加わった場合に損傷を受ける可能性がある。これに対し、本態様によれば、前側保護部および後側保護部が、夫々、前面側部分および後面側部分を外力から保護し、バッテリが損傷する可能性を低減することができる。なお、前側保護部および後側保護部は、何れも、ハウジングの一部であってもよいし、ハウジングとは別部材として構成され、ハウジングに連結されていてもよい。
【０００９】
本発明の一態様において、往復動工具は、後側保護部の内部に配置され、モータの駆動を制御するように構成された制御回路を含むコントローラを更に備えてもよい。本態様によれば、空きスペースとなりやすい後側保護部の内部空間を有効活用して、コントローラを合理的に配置することができる。
【００１０】
本発明の一態様において、コントローラは、長さ、幅および厚みを有する略直方体形状を有してもよい。なお、長さ、幅および厚みのうち、長さが最大、厚みが最小である。そして、コントローラは、厚み方向が前後方向と一致し、且つ、長さ方向が左右方向と一致する向きで配置されていてもよい。本態様によれば、後側保護部の前後方向および上下方向の長尺化を抑制しつつ、後側保護部の内部にコントローラを合理的に配置することができる。
【００１１】
本発明の一態様において、往復動工具は、使用者による把持が可能に構成され、上下方向に延在する筒状の把持部と、把持部の下端部と後側保護部の後端部とを接続する中空の接続部とを更に備えてもよい。本態様によれば、空きスペースとなりやすい接続部の内部空間を、例えば、各種部品、配線、コネクタ等の配置スペースとして有効に活用することができる。
【００１２】
本発明の一態様において、接続部は、外気を内部空間に流入させるための吸気口を有してもよい。本態様によれば、吸気口から流入した外気によって、接続部の内部空間に配置された部品等を冷却することが可能となる。
【００１３】
本発明の一態様において、往復動工具は、接続部の内部に配置され、外部機器と無線通信可能に構成された無線通信ユニットを更に備えてもよい。本態様によれば、空きスペースとなりやすい接続部の内部空間を有効活用して、往復動工具に無線通信機能を付加し、利便性を高めることができる。
【００１４】
本発明の一態様において、ハウジングのうち、バッテリ装着部にバッテリが装着されたときにバッテリに設けられた係合解除用ボタンに隣接する部分には、指を挿入可能な凹部が設けられていてもよい。本態様によれば、使用者による係合解除用ボタンの操作を容易とすることができる。
【００１５】
本発明の一態様において、往復動工具は、バッテリ装着部に取り外し可能に装着されたバッテリを更に備えてもよい。
【図面の簡単な説明】
【００１６】
【図１】電動ハンマ全体を左側からみた側面図である。
【図２】電動ハンマの全体斜視図である。
【図３】第２ハウジングが最後方位置にあるときの電動ハンマの断面図である。
【図４】電動ハンマの内部構造を説明するための部分的な断面図である。
【図５】第２ハウジングが最前方位置にあるときの電動ハンマの断面図である。
【図６】検出ユニットの全体斜視図である。
【図７】第２ハウジングが最後方位置にあるときの検出ユニットの説明図である。
【図８】第２ハウジングが最前方位置にあるときの検出ユニットの説明図である。
【図９】図３のＩＶ―ＩＶ線における断面図である（但し、バレル部飲みを示す）。
【図１０】図１のＸ―Ｘ線における断面図である。
【図１１】クランクハウジングおよび動吸振器の背面図である。
【図１２】図１１のＸＩＩ―ＸＩＩ線における断面図である。
【図１３】動吸振器の組み付けの説明図である。
【発明を実施するための形態】
【００１７】
以下、図面を参照して、本発明の実施形態に係る電動ハンマ１について説明する。電動ハンマ（以下、単にハンマという）１は、所定の駆動軸Ａ１に沿って先端工具９１を直線状に駆動するように構成された打撃工具の一例であって、ハツリ作業やケレン作業に使用される。
【００１８】
まず、ハンマ１の概略構成について説明する。図１〜図３に示すように、ハンマ１の外郭は、主としてハウジング２０によって形成されている。本実施形態のハウジング２０は、いわゆる防振ハウジングとして構成されており、第１ハウジング２１と、第１ハウジング２１に対して相対移動可能に弾性連結された第２ハウジング２５とを含む。
【００１９】
図３に示すように、第１ハウジング２１は、全体として側面視略Ｌ字状に形成されている。第１ハウジング２１は、別体として形成され、互いに連結されたバレル部２２と、クランクハウジング２３と、モータハウジング２４とを含む。
【００２０】
バレル部２２は、円筒状に形成され、所定の駆動軸Ａ１に沿って延在する。バレル部２２の軸方向における一端部内には、先端工具９１を着脱可能なツールホルダ２２１が配置されている。クランクハウジング２３は、内部空間を有する中空体であって、バレル部２２の軸方向における他端部に連結固定されている。バレル部２２とクランクハウジング２３には、駆動機構４が収容されている。モータハウジング２４は、駆動軸Ａ１に交差し、且つ、駆動軸Ａ１から離れる方向に突出するように配置され、クランクハウジング２３に連結固定されている。モータハウジング２４には、モータ３１が収容されている。モータシャフト３１５の回転軸Ａ２は、駆動軸Ａ１に直交している。
【００２１】
なお、以下の説明では、便宜上、ハンマ１の駆動軸Ａ１の延在方向を、ハンマ１の前後方向と規定する。前後方向において、ツールホルダ２２１が設けられている一端部側をハンマ１の前側（先端領域側ともいう）、反対側を後側と規定する。また、モータシャフト３１５の回転軸Ａ２の延在方向を、ハンマ１の上下方向と規定する。上下方向において、クランクハウジング２３からモータハウジング２４が突出する方向を下方向、反対方向を上方向と規定する。更に、前後方向および上下方向に直交する方向を、左右方向と規定する。
【００２２】
図１〜図３に示すように、第２ハウジング２５は、全体として略Ｕ字状に形成された中空体であって、把持部２６と、上側ハウジング２７と、下側ハウジング２８とを含む。
【００２３】
把持部２６は、使用者による把持が可能に構成され、概ね上下方向に延在する部分である。より詳細には、把持部２６は、第１ハウジング２１に対して後方に離間して、概ね上下方向に延在している。把持部２６の前部には、使用者が指で押圧操作（引き操作）可能なトリガ２６１が設けられている。上側ハウジング２７は、把持部２６の上端部に接続する部分である。本実施形態では、上側ハウジング２７は、把持部２６の上端部から前方に延び、第１ハウジング２１のバレル部２２およびクランクハウジング２３（図３参照）を覆うように構成されている。下側ハウジング２８は、把持部２６の下端部に接続する部分である。本実施形態では、下側ハウジング２８は、把持部２６の下端部から前方に延び、その大部分がモータハウジング２４の下側に配置されている。下側ハウジング２８の前後方向における略中央部には、バッテリ装着部２９が設けられている。ハンマ１は、バッテリ装着部２９に取り外し可能に装着されたバッテリ９３を電源として動作する。
【００２４】
以上のような構成によって、ハンマ１では、第２ハウジング２５に加え、第１ハウジング２１のうちモータハウジング２４が、上側ハウジング２７と下側ハウジング２８とに上下から挟まれた状態で外部に露出する。第２ハウジング２５およびモータハウジング２４は、ハンマ１の外表面を形成している。
【００２５】
以下、ハンマ１の詳細構成について説明する。
【００２６】
まず、ハウジング２０の防振ハウジング構造について説明する。上述の通り、ハウジング２０では、第１ハウジング２１に対し、把持部２６を含む第２ハウジング２５が相対移動可能に弾性的に連結されている。これにより、第１ハウジング２１から第２ハウジング２５への振動伝達の抑制が図られている。
【００２７】
より詳細には、図３に示すように、第１ハウジング２１のクランクハウジング２３と、第２ハウジング２５の上側ハウジング２７との間には、弾性部材５０１が介在している。より詳細には、弾性部材５０１には、圧縮コイルバネが採用されている。また、クランクハウジング２３の後端部を規定する後壁部２３１には、バネ受け部が設けられている。上側ハウジング２７（詳細には、把持部２６の上端部に隣接する領域）の内部には、このバネ受け部に対向するバネ受け部が設けられている。これらのバネ受け部は、夫々、凸部として構成されており、弾性部材５０１の前端部および後端部に嵌め込まれて、弾性部材５０１を支持している。また、第１ハウジング２１のバレル部２２と、上側ハウジング２７の前端部の間には、環状の弾性部材（いわゆるＯリング）５０４が介在している。
【００２８】
更に、第１ハウジング２１のモータハウジング２４と、第２ハウジング２５の下側ハウジング２８との間には、弾性部材５０５が介在している。より詳細には、弾性部材５０５には、圧縮コイルバネが採用されている。また、モータハウジング２４の下端部の一部は、下側ハウジング２８内に配置されており、バネ受け部を有する。下側ハウジング２８の内部には、このバネ受け部に対向するバネ受け部が設けられている。これらのバネ受け部は、夫々、凹部として構成されており、弾性部材５０５の前端部および後端部を受けて、弾性部材５０５を支持している。
【００２９】
弾性部材５０１および５０５は、夫々、その弾発力の作用方向が前後方向と概ね一致するように配置され、第１ハウジング２１と第２ハウジング２５とを、駆動軸Ａ１の延在方向において、互いから離れる方向（把持部２６が第１ハウジング２１から離れる方向）に付勢している。つまり、第１ハウジング２１および第２ハウジング２５は、夫々、前方および後方へ付勢されている。
【００３０】
更に、上側ハウジング２７および下側ハウジング２８は、夫々、モータハウジング２４の上端部および下端部に対して摺動可能に構成されている。より詳細には、図４に示すように、上側ハウジング２７の左右の側壁部の下端面５１１およびモータハウジング２４の左右の側壁部の上端面５１３は、互いに当接した状態で摺動可能な摺動面である。下端面５１１および上端面５１３は、上側摺動部５１を構成する。また、下側ハウジング２８の左右の側壁部には、内側（左右方向の中心）へ向けて突出し、前後方向に延在するガイドレール５２１が設けられている。また、モータハウジング２４の左右の側壁部の下端部には、前後方向に延在するガイド溝５２３が設けられている。ガイドレール５２１は、前後方向に摺動可能にガイド溝５２３に係合している。ガイドレール５２１およびガイド溝５２３は、下側摺動部５２を構成する。第１ハウジング２１と第２ハウジング２５とは、上側摺動部５１および下側摺動部５２において前後方向に摺動する。
【００３１】
駆動軸Ａ１に沿って先端工具９１が駆動されることで、第１ハウジング２１には振動が発生する。発生する振動のうち、最も大きく支配的なのは、前後方向の振動である。これに対し、本実施形態では、弾性部材５０１、５０４、５０５を介して連結された第１ハウジング２１および第２ハウジング２５が、上側摺動部５１および下側摺動部５２において摺動しつつ前後方向に相対移動することで、この前後方向の振動が第２ハウジング２５（特に、把持部２６）に伝達されるのを効果的に抑制することができる。
【００３２】
なお、第１ハウジング２１および第２ハウジング２５には、前後方向における相対移動可能範囲を規定するための構成が設けられている。より詳細には、図４に示すように、下側ハウジング２８の上端部の左右の側壁部には、内側に突出する一対のストッパ部５３１が設けられている。各ストッパ部５３１は、凹部（図示略）を有する。一方、モータハウジング２４の下端部には、下方に突出する左右一対の突起５３３が設けられている。一対の突起５３３は、夫々、一対のストッパ部５３１の凹部内に配置されている。このような構成により、第１ハウジング２１および第２ハウジング２５は、凹部の前端を規定する壁面に突起５３３が当接する位置と、凹部の後端を規定する壁面に突起５３３が当接する位置との間で、前後方向に相対移動可能である。つまり、凹部の前端を規定する壁面に突起５３３が当接するとき、第２ハウジング２５は第１ハウジング２１に対して最後方位置にあり、凹部の後端を規定する壁面に突起５３３が当接するとき、第２ハウジング２５は第１ハウジング２１に対して最前方位置にあるといえる。
【００３３】
上述のように、第１ハウジング２１および第２ハウジング２５は、弾性部材５０１および５０５によって、夫々、前方および後方へ付勢されている。このため、初期状態では、第２ハウジング２５は、第１ハウジング２１に対して最後方位置に保持されている。以下では、第２ハウジング２５の最後方位置を、初期位置ともいう。図１および図３に示すように、第２ハウジング２５が初期方位置にあるときには、前後方向において、モータハウジング２４の上後端の位置と、上側ハウジング２７のうち、クランクハウジング２３の後端部を覆う後壁部２７１の下後端の位置とが概ね一致し、且つ、モータハウジング２４の下前端の位置と、下側ハウジング２８の上前端の位置とが概ね一致する。一方、図５に示すように、第２ハウジング２５が第１ハウジング２１に対して最前方位置に配置されると、モータハウジング２４が上側ハウジング２７および下側ハウジング２８から後方にずれた位置に配置される。
【００３４】
以下、第１ハウジング２１の詳細構成とその内部構造について説明する。
【００３５】
まず、モータハウジング２４とその内部構造について説明する。図１〜図３に示すように、モータハウジング２４は、上側が開口した有底の矩形筒状に形成されている。モータハウジング２４には、モータ３１と、変速ダイアルユニット３５と、検出ユニット６とが収容されている。
【００３６】
本実施形態では、モータ３１として、ブラシレス直流モータが採用されている。モータ３１は、ステータおよびロータを含むモータ本体部３１０と、ロータから延設され、ロータと一体的に回転するモータシャフト３１５とを含む。上下方向に延在するモータシャフト３１５は、上下端部において、ベアリングによって回転可能に支持されている。モータ本体部３１０と上側のベアリングの間には、ファン３３が配置されている。ファン３３は、モータシャフト３１５に固定されており、モータシャフト３１５と一体的に回転する。ファン３３は、吸気口２０１（図１参照）を介してハウジング２０の内部に流入し、モータ３１の周囲を流れてモータ３１を冷却した後、排気口（図示略）からハウジング２０の外部に流出する空気流を生成するように構成されている。モータシャフト３１５の上端部は、クランクハウジング２３内に突出しており、この部分に駆動ギアが形成されている。駆動ギアは、クランクシャフト４１の被動ギアに噛合している。
【００３７】
変速ダイアルユニット３５は、モータハウジング２４の下端部において、モータ本体部３１０の後側に配置されている。変速ダイアルユニット３５は、使用者による外部操作に応じてモータ３１の回転速度の設定入力を受け付けるための機器である。詳細な図示は省略するが、変速ダイアルユニット３５は、使用者がモータハウジング２４の外部から回動操作可能な操作部材としてのダイアルを含む。変速ダイアルユニット３５は、図示しない配線によってコントローラ３０に接続されており、ダイアルの回動位置に応じた抵抗値（つまり、設定された回転速度）を示す信号をコントローラ３０に出力するように構成されている。
【００３８】
検出ユニット６は、第１ハウジング２１に対する第２ハウジング２５の前後方向の相対位置を検出するように構成されている。図４および図６に示すように、本実施形態では、検出ユニット６は、レバー６１と、ホールセンサ６３と、ホルダ６５とを含む。レバー６１およびホールセンサ６３は、ホルダ６５に組み付けられ、単一のアセンブリとしての検出ユニット６を構成している。
【００３９】
ホルダ６５は、ベース６５１と、レバー支持部６５３とを主体として構成されている。ベース６５１は、モータハウジング２４に固定される長尺状の板状部である。レバー支持部６５３は、ベース６５１に対して直交するように、ベース６５１の背面から後方に突出する板状部である。
【００４０】
レバー６１は、長尺板状のレバーアーム６１０と、レバーアーム６１０から突出する円筒部６１５とを含む。レバーアーム６１０の一端部の一面には、磁石６２が固定されている。レバー６１は、レバー支持部６５３によって、左右方向に延在する回動軸Ａ４周りに回動可能に支持されている。より詳細には、レバー支持部６５３には、右側面から右方に突出する支持シャフトが設けられている。レバー６１の円筒部６１５がレバー支持部６５３の支持シャフトに嵌合された状態で、支持シャフトに形成された雌ネジ部にネジが締め付けられることで、レバー６１がレバー支持部６５３に回動可能に支持される。なお、レバーアーム６１０の２つの端部のうち、磁石６２が固定された端部と反対側の端部は、第２ハウジング２５の相対移動に応じて、第２ハウジング２５によって作動される端部として機能する。以下では、磁石６２が固定された端部と反対側の端部を第１端部６１１といい、磁石６２が固定された端部を第２端部６１２というものとする。
【００４１】
更に、円筒部６１５には、捩りコイルバネ６７が外装されている。捩りコイルバネ６７の一端部はレバー支持部６５３に係止されている。捩りコイルバネ６７の他端部は、レバーアーム６１０の第１端部６１１の近傍に係止されている。これにより、レバー６１は、第１端部６１１がベース６１から離れる方向に付勢され、第２端部６１２の近傍部分が、ベース６５１に設けられたストッパ突起６５５に当接する位置で保持されている。
【００４２】
ホールセンサ６３は、ホール素子を備えた周知のセンサであって、基板６３１に搭載されている。基板６３１は、ホールセンサ６３が搭載された面が、レバーアーム６１０の磁石６２が固定された面に対向するように、ネジを介してレバー支持部６５３に固定されている。ホールセンサ６３は、図示しない配線を介してコントローラ３０に電気的に接続されており、磁石６２が所定の検出範囲内に配置されている場合、特定の信号（オン信号）をコントローラ３０へ出力するように構成されている。
【００４３】
以上のように構成された検出ユニット６は、ホルダ６５がモータハウジング２４に固定されることで、第１ハウジング２１に固定されている。より詳細には、モータハウジング２４の内部において、モータ３１の後側には、前後方向に直交するように配置された内部後壁部２４３が設けられている（図３参照）。ベース６５１は、レバーアーム６１０の２つの端部のうち、第２端部６１２が下側、第１端部６１１が上側に配置された状態で、内部後壁部２４３の上端部の後面にネジ（図示略）で固定されている。
【００４４】
図７に示すように、レバーアーム６１０の第１端部６１１は、モータハウジング２４の上端の開口から、上側ハウジング２７の内部（クランクハウジング２３と上側ハウジング２７の後壁部２７１との間の空間）に突出している。後壁部２７１の下端部には、前方に突出する当接部２７３が設けられている。本実施形態では、図３および図７に示すように、第１ハウジング２１に対して第２ハウジング２５が初期位置（最後方位置）にあるときには、レバー６１は、上述のように、第２端部６１２の近傍部分がストッパ突起６５５に当接する位置に保持され、レバー６１の第１端部６１１は、その回動可能範囲において最後方位置に配置される。なお、このとき、第１端部６１１は、当接部２７３から僅かに前方に離間している。このときのレバー６１の位置を、レバー６１の初期位置という。レバー６１が初期位置にあるとき、磁石６２はホールセンサ６３の右側でホールセンサ６３に対向し、その検出範囲内にある。よって、ホールセンサ６３は、コントローラ３０にオン信号を出力する。
【００４５】
一方、図５および図８に示すように、第２ハウジング２５が、第１ハウジング２１に対して初期位置から前方へ移動すると、第１端部６１１が、当接部２７３を介して、捩りコイルバネ６７の付勢力に抗して前方へ向けて押圧され、レバー６１は、初期位置から、左側面視で反時計回り方向（図８の矢印ＣＣＷの方向）に回動する。つまり、レバー６１は、第２ハウジング２５の前方への相対移動に連動して回動する。第２ハウジング２５が初期位置から所定位置まで前方へ相対移動すると、レバー６１も初期位置から所定の角度範囲だけ回動し、対応する所定位置に配置される。これに伴い、磁石６２はホールセンサ６３の検出範囲から離脱し、オン信号の出力を停止する。
【００４６】
なお、本実施形態では、レバー６１の回動軸Ａ４と第２端部６１２との距離（詳細には、磁石６２との間の距離）は、回動軸Ａ４と第１端部６１１との距離（詳細には、第１端部６１１と当接部２７３との当接位置との間の距離）よりも若干短く設定されている。このため、第２ハウジング２５の前方への相対移動に連動して、レバー６１が初期位置から所定位置まで回動するときの第２端部６１２の動き（移動量）は、第１端部６１１の動き（移動量）よりも若干大きくなる。これにより、比較的小さな第２ハウジング２５の前方への相対移動に連動して、磁石６２をホールセンサ６３の検出範囲から確実に離脱させている。
【００４７】
なお、この第２ハウジング２５の所定位置（以下、オフ位置という）は、第２ハウジング２５の移動可能範囲における最前方位置（図８に示す位置）よりも若干後方に設定されている。同様に、レバー６１の所定位置（以下、オフ位置という）は、第１端部６１１が回動可能範囲の最前方位置に配置される位置（図８に示す位置）よりも若干後方に設定されている。第２ハウジング２５およびレバー６１がオフ位置から最前方位置の間にあるときには、ホールセンサ６３はオン信号を出力しない。
【００４８】
詳細は後述するが、ホールセンサ６３の検出結果は、コントローラ３０によるモータ３１の駆動制御に使用される。
【００４９】
以下、クランクハウジング２３およびバレル部２２と、その内部構造について説明する。
【００５０】
図３および図４に示すように、クランクハウジング２３は、概ね矩形状の中空体として形成されている。一方、図３および図９に示すように、バレル部２２は、長尺状の円筒体として形成されている。クランクハウジング２３およびバレル部２２は、ネジ（図示略）によって前後方向に互いに連結固定され、駆動機構４を収容する駆動機構収容部を構成している。更に、図３および図４に示すように、クランクハウジング２３の下端部は、モータハウジング２４の上端部内に配置された状態で、ネジ２４６によって、モータハウジング２４に連結固定されている。これにより、単一のハウジングとしての第１ハウジング２１が形成されている。
【００５１】
駆動機構４について説明する。本実施形態では、駆動機構４は、モータ３１の動力によって、先端工具９１を駆動軸Ａ１に沿って直線状に駆動する動作（以下、ハンマ動作という）を行うように構成されており、図３に示すように、運動変換機構４０と、打撃要素４６とを含む。
【００５２】
運動変換機構４０は、モータシャフト３１５の回転運動をピストン４３の直線運動に変換するように構成された機構である。本実施形態では、運動変換機構４０として、クランクシャフト４１と、連接ロッド４２と、ピストン４３と、シリンダ４５とを含む周知のクランク機構が採用されている。
【００５３】
クランクシャフト４１は、モータシャフト３１５の後側に配置され、上下方向に延在している。クランクシャフト４１は、クランクハウジング２３に保持された２つのベアリングによって、モータシャフト３１５の回転軸Ａ２に平行、且つ、駆動軸Ａ１に直交する回転軸Ａ３周りに回転可能に支持されている。クランクシャフト４１は、モータシャフト３１５の駆動ギアに噛合する被動ギアを有しており、モータシャフト３１５の回転に伴って、回転軸Ａ３周りに回転する。また、クランクシャフト４１は、回転軸Ａ３から偏心した位置に設けられた偏心ピンを有する。連接ロッド４２の一端部は偏心ピンに連結され、他端部は連結ピンを介してピストン４３に連結されている。シリンダ４５は、長尺状の円筒体であって、バレル部２２に収容され、駆動軸Ａ１に沿って前後方向に延在している。ピストン４３は、シリンダ４５内に摺動可能に配置されている。ピストン４３は、クランクシャフト４１の回転に伴って、シリンダ４５内で前後方向に往復動する。
【００５４】
打撃要素４６は、ピストン４３の往復動に伴って前後方向に直線状に移動し、先端工具９１に対して打撃力を加えるように構成されている。本実施形態では、打撃要素４６は、ストライカ４６１と、インパクトボルト４６３とを含む。ストライカ４６１は、シリンダ４５内に前後方向に摺動可能に配置されている。ストライカ４６１とピストン４３との間には、ピストン４３の往復動によって生じる空気の圧力変動を介してストライカ４６１を直線状に移動させるための空気室４６５が形成されている。インパクトボルト４６３は、バレル部２２の前端部内に保持されたツールホルダ２２１内で前後方向に摺動可能に配置されている。
【００５５】
モータ３１が駆動され、ピストン４３が前方に向けて移動されると、空気室４６５の空気が圧縮されて内圧が上昇する。このため、ストライカ４６１は、空気バネの作用で高速に前方に押し出されてインパクトボルト４６３に衝突し、インパクトボルト４６３を介して運動エネルギを先端工具９１に伝達する。先端工具９１は、伝達された運動エネルギを受けて駆動軸Ａ１に沿って直線状に駆動され、被加工物を打撃する。一方、ピストン４３が後方へ移動されると、空気室４６５の空気が膨張して内圧が低下し、ストライカ４６１は後方へ引き込まれる。先端工具９１は、被加工物への押し付けにより、後方へ移動する。このようにして、運動変換機構４０および打撃要素４６によってハンマ動作が繰り返されることで、ハツリ作業やケレン作業が遂行される。
【００５６】
ところで、上述のように、ハンマ１では、ハンマ動作が行われることで、第１ハウジング２１には前後方向に比較的大きな振動が生じる。そこで、図４および図１０に示すように、本実施形態では、ハンマ１には、第１ハウジング２１に生じる振動を吸収するための左右一対の動吸振器７が設けられている。なお、一対の動吸振器７は、同一構成を有するとともに、駆動軸Ａ１を含み、上下方向に延在する仮想平面（駆動軸Ａ１、回転軸Ａ２および回転軸Ａ２を含む仮想平面）Ｐに対して対称に配置されている。また、図１に示すように、一対の動吸振器７は、駆動軸Ａ１よりもやや下側で、駆動軸Ａ１に平行に、前後方向に延在している。
【００５７】
以下、動吸振器７の詳細構成について説明する。図１０に示すように、本実施形態では、各動吸振器７は、ウェイト７１と、ウェイト７１の両側に配置された２つのバネ７２と、ウェイト７１およびバネ７２を収容する収容部７３とを主体として構成されている。
【００５８】
ウェイト７１は、前後方向に延在する長尺の円柱状部材として形成されている。より詳細には、ウェイト７１は、均一径を有する大径部７１１と、大径部７１１よりも径が小さく、大径部７１１の前端および後端から突出する小径部７１３を有する。２つのバネ７２は、夫々、小径部７１３に嵌め込まれており、各バネ７２の一端は、大径部７１１の端部に当接している。なお、以下では、２つのバネ７２を総称する場合および何れかを区別なく指す場合、単にバネ７２といい、２つのバネ７２のうち、ウェイト７１の前側に配置されたバネ７２を指す場合には、前側バネ７２１といい、ウェイト７１の後側に配置されたバネ７２を指す場合には、後側バネ７２３というものとする。
【００５９】
収容部７３は、全体としては、両端が閉塞された円筒状に形成されており、複数の部材が連結されることで形成されている。本実施形態では、収容部７３は、バレル部２２の一部およびクランクハウジング２３の一部を利用して構成されている。より詳細には、収容部７３は、バレル部２２の一部である第１支持部７４と、クランクハウジング２３の一部である第２支持部７５と、スリーブ７６と、キャップ７７とを含む。
【００６０】
図９および図１０に示すように、一対の動吸振器７の一対の第１支持部７４は、夫々、バレル部２２の下後端部に、左右に突出するように設けられている。第１支持部７４は、前後方向を軸方向とし、前端が閉塞され、後端が開放された有底円筒状に形成されている。言い換えると、第１支持部７４は、後方に開口する凹部を有する。凹部は、後側部分よりも前側部分の内径が小さい段付き凹部として構成されている。
【００６１】
図４および図１０に示すように、一対の第２支持部７５は、夫々、クランクハウジング２３の下中央部に、左右に突出するように設けられている。なお、一対の第２支持部７５は、一対の第１支持部７４から後方に離間した位置に、同軸状に配置されている。第２支持部７５は、前後方向を軸方向とする円筒状に形成されている。
【００６２】
スリーブ７６は、第１支持部７４および第２支持部７５とは別個の円筒体として形成されている。スリーブ７６は、ウェイト７１（詳細には、大径部７１１）の安定した摺動動作を確保するための部材であって、大径部７１１の径と概ね同一の内径を有する。
【００６３】
キャップ７７は、後端が閉塞され、前端が開放された有底円筒状に形成されている。キャップ７７は、スリーブ７６の後端部に同軸状に嵌め込まれて連結され、スリーブ７６の後端の開口を閉塞する。図１１および図１２に示すように、キャップ７７の後端部には、径方向外側に突出する突起７７１が設けられている。
【００６４】
図１０に示すように、スリーブ７６およびキャップ７７は、第１支持部７４および第２支持部７５によって同軸状に支持されている。より詳細には、スリーブ７６の前端部は、第１支持部７４の凹部の大径部内に挿入されている。また、スリーブ７６の後端部およびキャップ７７の前側部分は、第２支持部７５内に挿入されている。キャップ７７の後側部分は、第２支持部７５から後方へ突出している。このような構成により、円柱状の内部空間（収容空間）を有する収容部７３が形成されている。なお、スリーブ７６の前端部には、第１支持部７４の内周面と、スリーブ７６の外周面との間の隙間をシールするためのＯリング７６１が装着されている。また、スリーブ７６の後端部およびキャップ７７の中央部には、第２支持部７５の内周面とスリーブ７６およびキャップ７７の外周面との間の隙間を夫々シールするためのＯリング７６２および７７３が装着されている。
【００６５】
ウェイト７１およびバネ７２は、２つのバネ７２が圧縮され、ウェイト７１の大径部７１１が、バネ７２の付勢力を受けつつスリーブ７６内を摺動可能な状態で、収容部７３の内部空間に収容されている。また、スリーブ７６およびキャップ７７は、バネ７２の付勢力を利用して、クランクハウジング２３に固定状に保持されている。
【００６６】
より詳細には、前側バネ７２１の前端部には、バネ受け部材７２５が嵌めこまれている。バネ受け部材７２５は、第１支持部７４の凹部の小径部に嵌め込まれ、凹部の底面に当接している。後側バネ７２３の後端部は、キャップ７７に当接している。本実施形態では、２つのバネ７２の圧縮に伴い、スリーブ７６およびキャップ７７は後方へ付勢されるが、クランクハウジング２３に固定されたストッパピン７７２によって後方への移動が規制され、所定位置で保持される。具体的には、図１１および図１２に示すように、キャップ７７の突起７７１が、上方へ突出するように配置され、ストッパピン７７２に前方から当接して係止されることで、スリーブ７６およびキャップ７７が前後方向において位置決めされ、保持される。なお、ストッパピン７７２は、一対の第２支持部７５の後側且つ上側に、一対で設けられ、夫々、クランクハウジング２３の左右の側壁部から、左方および右方に突出している。このような構成により、第１支持部７４がバネ受け部材７２５を介してバネ７２による前方への付勢力を受け、ストッパピン７７２がキャップ７７を介してバネ７２による後方への付勢力を受けている。
【００６７】
また、ストッパピン７７２の中央部は、湾曲状に凹んでおり、突起７７１の後端面は、この凹部に整合する形状を有する。突起７７１がストッパピン７７２の凹部に係合することで、キャップ７７は、クランクハウジング２３に対し、前後方向のみならず、収容部７３の軸周りの周方向においても位置決めされ、保持されている。
【００６８】
なお、本実施形態では、動吸振器７の組み付けは、次のように行われる。
【００６９】
図１３に示すように、まず、作業者は、Ｏリング７６１、７６２が装着されたスリーブ７６に、Ｏリング７７３が装着されたキャップ７７を嵌めこみ、連結する。次に、作業者は、後側バネ７２３、ウェイト７１、およびバネ受け部材７２５が嵌めこまれた前側バネ７２１を、順に、スリーブ７６およびキャップ７７の連結体に挿入する。このとき、バネ受け部材７２５を含む前側バネ７２１の前端部は、スリーブ７６の前端の開口から前方へ突出した状態である。作業者は、ウェイト７１とバネ７２が収容されたスリーブ７６およびキャップ７７の連結体を、第２支持部７５に後方から挿入し、更に、前側バネ７２１およびスリーブ７６の前端部を第１支持部７４に後方から挿入する。なお、このとき、作業者は、突起７７１がストッパピン７７２に干渉しないように、連結体の周方向の位置を調整する。
【００７０】
続いて、作業者は、突起７７１がストッパピン７７２よりも前側に配置されるまで、バネ７２を圧縮しつつキャップ７７を前方へ押し込み、その後、突起７７１がストッパピン７７２の凹部に係合する位置まで、キャップ７７を周方向に回動させる。作業者がキャップ７７の押込みを解除すると、バネ７２の付勢力によって、突起７７１がストッパピン７７２に係止され、組み付けが完了する。なお、キャップ７７の後端面には、マイナスドライバの先端を係合可能な溝７７５が形成されている。よって、作業者は、マイナスドライバを用いて、キャップ７７を押込み、回動させる一連の作業を容易に行うことができる。
【００７１】
なお、スリーブ７６およびキャップ７７の連結体が第１支持部７４および第２支持部７５に挿入される前には、前後方向において、第１支持部７４と第２支持部７５の間には、空間が存在する。そこで、本実施形態では、この空間を利用して、クランクハウジング２３が、下側に配置されたモータハウジング２４に対し、ネジ２４６によって連結固定される。
【００７２】
より詳細には、図４および図１３に示すように、クランクハウジング２３の下端部には、一対のベース部２３３が設けられている。一対のベース部２３３は、前後方向において、第１支持部７４と第２支持部７５の間、且つ、上下方向において第１支持部７４および第２支持部７５よりも下側で、左方および右方に突出する。一方、モータハウジング２４には、上方に突出する左右一対のベース部２４５が設けられている。そして、ベース部２３３とベース部２４５とが、ベース部２３３の上側から、ネジ２４６によって固定されている。このように、第１支持部７４および第２支持部７５の間の空間を利用して、作業者は、動吸振器７の組み付け前に、ネジ２４６によって、クランクハウジング２３とモータハウジング２４を容易に連結固定することができる。
【００７３】
なお、図１３に示すように、第２支持部７５の後側（キャップ７７が配置される位置）でも、同様にして、動吸振器７の組み付け前に、クランクハウジング２３とモータハウジング２４とが、ネジで連結固定される。
【００７４】
ところで、本実施形態の動吸振器７は、バレル部２２およびクランクハウジング２３内の圧力変動を利用してウェイト７１を積極的に加振する方式（いわゆるエア加振方式）の動吸振器として構成されている。より詳細には、図１０に示すように、収容部７３の内部空間は、ウェイト７１（詳細には、大径部７１１）によって、ウェイト７１の前側に形成される前側空間７３１と、ウェイト７１の後側に形成される後側空間７３３とに区画されている。
【００７５】
図９に示すように、前側空間７３１は、通路７４１を介して、シリンダ４５（図９では図示略）を収容するバレル部２２の内部空間と連通されている。なお、通路７４１の前側空間７３１側の端は、第１支持部７４の小径部内に通じている（図１０参照）。上述のように、この位置には、スリーブ７６が配置されていない。よって、通路７４１は、第１支持部７４からバレル部２２に亘って斜め上方に延びる単一の貫通孔として形成されている。
【００７６】
また、図４に示すように、後側空間７３３は、通路７４３を介して、クランクシャフト４１を収容するクランクハウジング２３の内部空間と連通している。通路７４３の後側空間７３３側の端は、キャップ７７内に通じている。よって、通路７４３は、キャップ７７に設けられた貫通孔７４４と、この貫通孔に連続するように、第２支持部７５からクランクハウジング２３に亘って上方に延びる貫通孔７４５とによって形成されている。なお、キャップ７７に設けられた貫通孔７４４は、上述のように突起７７１およびストッパピン７７２によってキャップ７７が周方向に位置決めされることで、貫通孔７４５と連通する。
【００７７】
ハンマ１の駆動時には、バレル部２２の内部空間およびクランクハウジング２３の内部空間の圧力は、運動変換機構４０および打撃要素４６の駆動に伴って夫々変動し、その圧力変動は、概ね１８０度の位相差を有する。つまり、バレル部２２の内部空間の圧力が上昇したときには、クランクハウジング２３の内部空間の圧力が低下し、バレル部２２の内部空間の圧力が低下したときには、クランクハウジング２３の内部空間の圧力が上昇するという関係にある。よって、動吸振器７の前側空間７３１および後側空間７３３を、夫々、バレル部２２の内部空間およびクランクハウジング２３の内部空間に連通させることで、これらの圧力変動を利用して、動吸振器７のウェイト７１を積極的に駆動し、振動を効果的に吸収することができる。なお、このエア加振方式自体は公知であるため、ここでの詳細な説明は省略する。
【００７８】
以下、第２ハウジング２５の詳細構成とその内部構造について説明する。
【００７９】
まず、上側ハウジング２７について説明する。図１〜図３に示すように、上側ハウジング２７の後側部分は、下側が開口した略矩形箱状に形成されており、クランクハウジング２３を上方から覆っている。また、上側ハウジング２７の前側部分は、円筒状に形成されており、バレル部２２の外周を覆っている。この円筒状の部分の外周面には、補助ハンドル９７（図１および図２参照）を着脱可能である。なお、補助ハンドル９７の構成については周知であるため、ここでの詳細な説明は省略する。
【００８０】
把持部２６とその内部構造について説明する。図３に示すように、把持部２６は、上下方向に延在する筒状部として構成されている。把持部２６の前部には、作業者による押圧操作（引き操作）が可能なトリガ２６１が設けられている。把持部２６の内部には、トリガ２６１の操作に応じてオン状態とオフ状態との間で切り替えられるスイッチ２６３が設けられている。スイッチ２６３は、配線を介して、コントローラ３０に電気的に接続されており、オン状態またはオフ状態を示す信号を、コントローラ３０に出力するように構成されている。
【００８１】
下側ハウジング２８とその内部構造について説明する。図１〜図４に示すように、下側ハウジング２８は、上側が一部開口する矩形箱状に形成されている。下側ハウジング２８は、把持部２６の下端部から前方に延びており、大部分がモータハウジング２４の下側に配置されている。下側ハウジング２８は、バッテリ装着部２９と、バッテリ保護部２８０と、接続部２８５とを含む。
【００８２】
上述の通り、バッテリ装着部２９は、下側ハウジング２８の前後方向における略中央部の下端部に設けられている。本実施形態では、バッテリ装着部２９は、充電式のバッテリ９３を１つのみ着脱可能に構成されている。なお、本実施形態のハンマ１に着脱可能なバッテリ９３は、最大電圧が４０ボルトのバッテリである。
【００８３】
ここで、バッテリ９３の構成について、簡単に説明する。なお、説明の便宜上、バッテリ９３の方向に関しては、ハンマ１に装着された状態で、その上下方向を規定する。図３および図４に示すように、バッテリ９３は、略直方体状に形成されている。バッテリ９３の重心Ｇは、長手（長さ）方向、短手（幅）方向、高さ方向の何れにおいても、概ね中心位置にある。バッテリ９３は、フック９３１と、ボタン９３３と、端子（図示せず）と、一対のガイド溝９３５とを有する。
【００８４】
フック９３１と端子は、バッテリ９３の上面に設けられている。フック９３１は、バッテリ９３の長手方向（図３の紙面直交方向、図４の左右方向）における一端部に設けられ、常時には、バネ（図示せず）によって付勢され、上面から上方へ突出している。ボタン９３３は、短手方向を規定するバッテリ９３の側面の上端部に設けられている。フック９３１は、ボタン９３３の下方への押圧操作に応じて、上面から下方へ引っ込むように構成されている。端子は、フック９３１に隣接してバッテリ９３の上面に設けられている。一対のガイド溝９３５は、バッテリ９３の長手方向に沿って配置された一対の側面の上端部に、長手方向に直線状に延在する溝として形成されている。
【００８５】
図１〜図４に示すように、このような構成のバッテリ９３に対応して、バッテリ装着部２９は、その下側にバッテリ９３の一部が露出した状態で、バッテリ９３の上端部が装着されるように構成されている。本実施形態では、バッテリ装着部２９は、バッテリ９３の長手方向が左右方向と一致する向きで、バッテリ９３を左右方向にスライド係合可能に構成されている。具体的には、バッテリ装着部２９は、一対のガイドレール２９３と、フック係合部２９１と、バッテリ接続端子（図示せず）とを有する。一対のガイドレール２９３は、左右方向に直線状に延在し、バッテリ９３の一対のガイド溝９３５にスライド係合可能に構成されている。フック係合部２９１は、上方へ凹んだ凹部であって、バッテリ９３のフック９３１を係合可能に構成されている。バッテリ接続端子は、ガイド溝９３５がガイドレール２９３にスライド係合され、フック９３１がフック係合部２９１に係合するのに伴い、バッテリ９３の端子と電気的に接続するように構成されている。
【００８６】
なお、本実施形態では、バッテリ９３は、フック９３１が左側に配置された状態で、ハンマ１の左方から右方へ向けてスライドされることで、バッテリ装着部２９に装着される。このため、フック係合部２９１はバッテリ装着部２９において左端部に配置され、バッテリ接続端子は、バッテリ９３の端子に対して右方から接続するように構成されている。フック９３１の係合を解除するためのボタン９３３は、左側面の上端部に設けられている。このため、下側ハウジング２８のうち、ボタン９３３の上側に隣接する部分には、凹部２８７が設けられている。凹部２８７は、使用者が指を挿入可能に構成されており、使用者のボタン９３３の操作を容易とする。
【００８７】
更に、バッテリ装着部２９は、バッテリ９３が装着されたときに、バッテリ９３の重心Ｇが、前後方向において（左側または右側からみて）、モータシャフト３１５の回転軸Ａ２と、クランクシャフト４１の回転軸Ａ３の間に位置するように構成されている（図３参照）。また、バッテリ装着部２９は、バッテリ９３が装着されたときに、バッテリ９３の重心Ｇが、左右方向において（前側または後側からみて）、概ねハウジング２０の中心線（上述の仮想平面Ｐ）上に位置するように構成されている（図４参照）。
【００８８】
以下、バッテリ保護部２８０およびその内部構成について説明する。
【００８９】
バッテリ保護部２８０は、バッテリ９３がバッテリ装着部２９に装着された場合に、バッテリ９３の露出部分を外力から保護するように構成されている。本実施形態では、バッテリ保護部２８０は、前後方向において、バッテリ装着部２９に対して両側に設けられた前側保護部２８１と後側保護部２８２とを含む。本実施形態では、前側保護部２８１および後側保護部２８２は、夫々、ハウジング２０（下側ハウジング２８）の一部として形成されている。より詳細には、前側保護部２８１および後側保護部２８２は、夫々、下側ハウジング２８のうち、バッテリ装着部２９を挟んでバッテリ装着部２９よりも下方に突出する中空部として形成されている。
【００９０】
図３および図４に示すように、上下方向に関しては、前側保護部２８１および後側保護部２８２は、夫々、その下面が、バッテリ装着部２９に装着されたバッテリ９３の下面よりも下方に突出するように構成されている。また、左右方向に関しては、前側保護部２８１および後側保護部２８２は、バッテリ９３よりも若干短い。よって、バッテリ装着部２９に装着された状態において、バッテリ９３の左右端部は、下側ハウジング２８から左右方向に僅かに突出する。
【００９１】
本実施形態では、バッテリ９３の上端部はバッテリ装着部２９に装着され、バッテリ９３の大部分は、バッテリ装着部２９の下方に露出する。そこで、前側保護部２８１および後側保護部２８２は、バッテリ９３のバッテリ装着部２９からの露出部分を保護するように設けられている。具体的には、前側保護部２８１は、バッテリ９３の前面側部分を外力から保護するように構成されている。一方、後側保護部２８２は、バッテリ９３の後面側部分を外力から保護するように構成されている。より詳細には、前側保護部２８１は、主に前側保護部２８１よりも前方から（斜め方向を含む）前面側部分に向かう外力に干渉することで、前面側部分を保護する。後側保護部２８２は、主に後側保護部２８２よりも後方から（斜め方向を含む）後面側部分に向かう外力に干渉することで、後面側部分を保護する。
【００９２】
また、バッテリ９３は略直方体形状に形成されているため、下端部の隅部領域９３０は４つ（前側の左右に２つと、後側の左右に２つ）存在する。これら４つの隅部領域９３０は、ハンマ１の落下時に特に外力にさらされやすい。そこで、前側保護部２８１および後側保護部２８２は、特に落下時の衝撃から効果的に隅部領域９３０を保護するように構成されている。具体的には、バッテリ９３がバッテリ装着部２９に装着されたときのハンマ１（補助ハンドル９７を含む）の重心と、バッテリ９３の下前端部の何れかの隅部領域９３０とを結ぶ仮想直線を規定し、更に、仮想直線に直交し、且つ、その隅部領域９３０を通る仮想平面を規定した場合、前側保護部２８１は、この仮想平面よりも、重心から離れる方向に突出するように形成されている。また、後側保護部２８２は、ハンマ１の重心と、バッテリ９３の下前端部の何れかの隅部領域９３０とを結ぶ仮想直線に直交し、且つ、その隅部領域９３０を通る仮想平面から突出している。
【００９３】
一般的に、バッテリ９３が装着され、ハンマ１の重心が隅部領域９３０に乗った状態で（言い換えると、重心が隅部領域９３０の真上に位置する姿勢で、または、隅部領域９３０にハンマ１の全重量が作用する状態で））ハンマ１が落下し、隅部領域９３０が地面や床に衝突すると、隅部領域９３０に加わる衝撃が大きくなり、バッテリ９３の損傷の可能性が高まる。これに対し、前側保護部２８１および後側保護部２８２を、上記の仮想平面よりも突出するように形成することで、下端部の隅部領域９３０の何れかに重心が乗った状態でハンマ１が落下した場合でも、前側保護部２８１または後側保護部２８２が先に地面や床に接触するため、隅部領域９３０を効果的に保護することができる。
【００９４】
本実施形態では、後側保護部２８２の内部には、コントローラ３０が収容されている。詳細な図示は省略するが、コントローラ３０は、モータ３１の駆動を制御する制御回路３００と、制御回路３００が搭載された基板と、これらを収容するケースとを含む。コントローラ３０は、全体としては、長さ、幅および厚みを有する略直方体形状に形成されている。なお、長さ、幅、厚みのうち、長さが最大で厚みが最小である。コントローラ３０は、後側保護部２８２内に、長さ方向、幅方向、厚み方向が、夫々、左右方向、上下方向、前後方向と一致するように配置されている。なお、本実施形態では、制御回路３００は、ＣＰＵ、ＲＯＭ、ＲＡＭ、タイマ等を含むマイクロコンピュータとして構成されている。コントローラ３０は、配線３０１（一部のみ図示）によって、モータ３１、スイッチ２６３、検出ユニット６、バッテリ装着部２９の端子等と電気的に接続されている。コントローラ３０によるモータ３１の駆動制御については、後で詳述する。
【００９５】
以下、接続部２８５およびその内部構造について説明する。
【００９６】
図１〜図３に示すように、接続部２８５は、把持部２６の下端部と後側保護部２８２とを接続する中空部であって、把持部２６の下端部から後側保護部２８２に向けて前方へ延びている。把持部２６および下側ハウジング２８の内部には、連続した内部空間が形成されている。把持部２６の内部空間と、後側保護部２８２の内部空間とは、接続部２８５の内部空間を介して接続する。そこで、本実施形態では、接続部２８５の内部空間を有効活用して、把持部２６内に配置されたスイッチ２６３と、後側保護部２８２内に配置されたコントローラ３０とを電気的に接続する配線（図示略）や、配線用のコネクタ（図示略）等が配置されている。
【００９７】
更に、接続部２８５の内部には、無線通信ユニット２８６が収容されている。無線通信ユニット２８６は、外部機器との無線通信が可能に構成された電子機器である。本実施形態では、無線通信ユニット２８６は、コントローラ３０からの制御信号に従って、ハンマ１とは別個の定置式の集塵機（図示略）に対し、所定の周波数帯の電波を使って所定の連動信号を無線送信するように構成されている。なお、このようなシステム自体は公知であるため、簡単に説明すると、コントローラ３０は、トリガ２６１が押圧操作され、スイッチ２６３がオン状態とされている間、無線通信ユニット２８６に連動信号を送信させる。集塵機のコントローラは、無線通信ユニット２８６から送信された連動信号を受信している間、集塵機のモータを駆動するように構成されている。つまり、ハンマ１の使用者は、トリガ２６１の押圧操作をするだけで、集塵機をハンマ１に連動して動作させることができる。
【００９８】
このように、本実施形態では、空きスペースとなりやすい接続部２８５の内部空間を有効活用して、無線通信ユニット２８６を配置することで、ハンマ１の利便性が高められている。なお、無線通信ユニット２８６は、集塵機に対して連動信号を送信するものに限られず、その他の外部機器（例えば、携帯端末）と無線通信を行うように構成されていてもよいし、省略されてもよい。
【００９９】
また、接続部２８５の左右の側壁部には、接続部２８５の内部と外部とを連通させる吸気口２０１が形成されている。モータ３１の駆動に伴い、ファン３３によって生成される空気流は、吸気口２０１から接続部２８５の内部に流入し、下側ハウジング２８内を通過して、モータハウジング２４へと流れる。本実施形態では、吸気口２０１の近傍で、この空気流の通路上にコントローラ３０が配置されている。このため、ファン３３によって生成される空気流によって、モータ３１のみならず、コントローラ３０も効果的に冷却される。
【０１００】
以下、コントローラ３０によるモータ３１の駆動制御について説明する。
【０１０１】
本実施形態では、コントローラ３０（より詳細には、制御回路３００）は、いわゆるソフトノーロード制御を行うように構成されている。ソフトノーロード制御とは、スイッチ２６３がオン状態にある場合、先端工具９１に負荷が加えられていない無負荷状態では、モータ３１の回転速度を、予め定められた比較的低い回転速度（以下、初期回転速度という）以下に制限する一方、負荷状態では、モータ３１の回転速度が初期回転速度を超えることを許容する駆動制御手法である。ソフトノーロード制御によれば、無負荷状態におけるモータ３１の無駄な電力消費を低減することができる。なお、本実施形態では、変速ダイアルユニット３５によって設定された回転速度が、トリガ２６１の最大操作量に対応する回転速度（つまり、最高回転速度）として用いられる。そして、モータ３１の回転速度は、最高回転速度と、実際のトリガ２６１の操作量（操作割合）に基づいて設定される。
【０１０２】
本実施形態では、ソフトノーロード制御における無負荷状態と負荷状態の判別に、検出ユニット６の検出結果が用いられる。上述のように、検出ユニット６のホールセンサ６３は、第１ハウジング２１に対する第２ハウジング２５の相対移動に連動するレバー６１の位置を、磁石６２を介して検出することで、第１ハウジング２１に対する第２ハウジング２５の相対位置を検出するものである。
【０１０３】
無負荷状態では、弾性部材５０１および５０５の付勢力により、第２ハウジング２５は最後方位置（初期位置）に配置されており、レバー６１も初期位置に配置される（図３および図７参照）。よって、ホールセンサ６３が磁石６２を検出し、検出ユニット６はオン信号を出力する。コントローラ３０は、検出ユニット６からの出力がオンの場合、モータ３１は無負荷状態にあると判定する。コントローラ３０は、スイッチ２６３がオフ状態からオン状態とされると、モータ３１の駆動を開始する。このとき、最高回転速度とトリガ２６１の操作量に基づいて算出される回転速度が初期回転速度以下であれば、算出された回転速度がそのままモータ３１の回転速度として設定される。一方、算出される回転速度が初期回転速度を超える場合、初期回転速度がモータ３１の回転速度として設定される。モータ３１の駆動に伴い、駆動機構４が駆動され、ハンマ動作が行われる。
【０１０４】
使用者が把持部２６を把持した状態で、先端工具９１を被加工物に押し付けると、第２ハウジング２５は、上側摺動部５１および下側摺動部５２において、第２ハウジング２５に対して摺動し、弾性部材５０１および５０５を圧縮しつつ、初期位置から前方へ移動する。第２ハウジング２５の前方への相対移動に連動して、レバー６１も初期位置から回動する。第２ハウジング２５およびレバー６１がオフ位置へ到達すると、ホールセンサ６３はオン信号の出力を停止する。コントローラ３０は、ホールセンサ６３からの出力のオンからオフへの変化を、無負荷状態から負荷状態への移行と認識する。
【０１０５】
コントローラ３０は、負荷状態への移行を認識すると、最高回転速度とトリガ２６１の操作量に基づいて算出される回転速度でモータ３１を駆動する。このとき、コントローラ３０は、モータ３１の回転速度を算出された回転速度まで上昇させる場合には、直ちにその速度まで上昇させてもよいし、徐々に上昇させてもよい。コントローラ３０は、トリガ２６１の引き操作が解除され、スイッチ２６３がオフ状態となると、モータ３１の駆動を停止する。なお、ホールセンサ６３からの出力がオフの状態で（つまり、負荷状態で）スイッチ２６３がオン状態にされた場合には、コントローラ３０は、最高回転速度とトリガ２６１の操作量に基づいて算出される回転速度で、モータ３１の駆動を開始する。
【０１０６】
コントローラ３０は、トリガ２６１の引き操作が解除され、スイッチ２６３がオフ状態となると、モータ３１の駆動を停止する。
【０１０７】
なお、コントローラ３０は、スイッチ２６３がオン状態で、ホールセンサ６３からの出力のオフからオンへの変化（つまり、第２ハウジング２５およびレバー６１のオフ位置から初期位置へ向かう相対移動、負荷状態から無負荷状態への移行）を認識した場合、モータ３１の回転速度を初期回転速度以下に制限するように構成されていてもよい。この場合、例えば、コントローラ３０は、タイマにより、変化後のホールセンサ６３のオン状態の継続時間を監視する。そして、所定時間に亘ってオン状態が継続した場合に限り、モータ３１の回転速度を初期回転速度以下に制限すればよい。これは、加工作業に伴って第１ハウジング２１が振動しているときの一時的なオン状態への変化と、負荷状態から無負荷状態への変化とを確実に区別するためである。
【０１０８】
具体的には、第２ハウジング２５は、第１ハウジング２１の前後方向の振動により、第１ハウジング２１に対して前後方向に往復移動する。これに連動して、磁石６２を有するレバー６１も回動する。この場合、ホールセンサ６３からの出力は、短い周期でオンとオフの間で切り替わる可能性がある。これに対し、先端工具９１の押し付けが解除され、無負荷状態に移行した場合には、ホールセンサ６３からの出力がオフからオンに切り替わった後、所定時間に亘ってオン状態が継続する。よって、上述のような制御を採用すれば、コントローラ３０が、ホールセンサ６３の検出結果に基づいて、負荷状態から無負荷状態への移行をより確実に認識することが可能となる。
【０１０９】
以上に説明したように、本実施形態のハンマ１は、モータ３１および駆動機構４を収容する第１ハウジング２１と、把持部２６を含み、第１ハウジング２１に対し、少なくとも前後方向に相対移動可能に弾性連結された第２ハウジング２５とを備えている。また、ハンマ１は、被加工物に対する先端工具９１の押付けを検出するように構成された検出ユニット６と、検出ユニット６による検出結果に基づいて、モータ３１の駆動を制御するように構成されたコントローラ３０（詳細には、制御回路３００）を備えている。そして、検出ユニット６は、第１ハウジング２１に設けられ、第２ハウジング２５の前後方向の相対移動に連動するように構成されたレバー６１と、第１ハウジング２１に設けられ、レバー６１の動きを介して先端工具９１の押付けを検出するように構成されたホールセンサ６３とを含む。
【０１１０】
先端工具９１が被加工物に押し付けられると、第１ハウジング２１に弾性連結された第２ハウジング２５は、第１ハウジング２１に対して相対的に前方へ移動する。つまり、無負荷状態から負荷状態への移行は、第２ハウジング２５の前方への相対移動に対応する。そして、第２ハウジング２５の前後方向の相対移動は、レバー６１の動きに対応する。よって、ホールセンサ６３は、レバー６１の動き（詳細には、レバー６１の第２端部６１２に取り付けられた磁石６２の検出の有無）を介して、被加工物に対する先端工具９１の押付け（無負荷状態から負荷状態への移行）を適切に検出することができる。そして、コントローラ３０は、検出ユニット６による検出結果に基づいて、先端工具９１が無負荷状態にあるか負荷状態にあるかに応じて、モータ３１の駆動を制御することができる。
【０１１１】
本実施形態では、検出ユニット６のレバー６１およびホールセンサ６３の両方が、同じ第１ハウジング２１に設けられている。レバー６１が第１ハウジング２１および第２ハウジング２５のうち一方に設けられ、ホールセンサ６３が他方に設けられる場合、第１ハウジング２１および第２ハウジング２５の夫々の寸法誤差に起因して、レバー６１とホールセンサ６３との位置関係が本来の設定とは異なってしまい、ホールセンサ６３が無負荷状態から負荷状態への移行を正確に検出できない可能性がある。これに対し、本実施形態のように、レバー６１およびホールセンサ６３の両方を、同じ第１ハウジング２１に配置することで、レバー６１とホールセンサ６３との位置関係をより安定化し、誤検出の可能性を低減することができる。
【０１１２】
本実施形態では、検出ユニット６は、レバー６１とホールセンサ６３とを含む１つのアセンブリとして構成されている。よって、ハンマ１の組み立て工程において、作業者は、先に組み立てられた単一のアセンブリである検出ユニット６を、第１ハウジング２１に組み付けることができ、組立性が向上する。
【０１１３】
また、ホールセンサ６３は、レバー６１に取り付けられた磁石６２を検出することで、レバー６１の動きを非接触で検出することができる。よって、ホールセンサ６３が、検出対象と接触して摩耗することがなく、摩耗による検出精度の低下を防止することができる。
【０１１４】
また、本実施形態では、第２ハウジング２５の前後方向の相対移動に連動する連動部材として、第１端部６１１と第２端部６１２とを有し、第２端部６１２よりも第１端部６１１に近い位置にある回動軸Ａ４周りに回動可能に支持されたレバー６１が採用されている。この場合、回動式のレバー６１の形状、サイズ、回動軸Ａ４の位置等を適宜設定することで、直線状に移動する連動部材が採用される場合に比べ、ホールセンサ６３の配置位置の自由度を高めることができる。また、回動軸Ａ４を、レバー６１の動きの検出に用いられる第２端部６１２よりも、第２ハウジング２５によって作動される第１端部６１１の近くに設定することで、第２端部６１２の動きを、第１端部６１１の動きよりも増大させることができる。よって、比較的小さな第２ハウジング２５の相対移動により、磁石６２をホールセンサ６３の検出範囲から確実に離脱させることが可能となる。
【０１１５】
更に、本実施形態では、第１ハウジング２１および第２ハウジング２５は、前後方向に摺動可能に弾性連結されている。これにより、第１ハウジング２１および第２ハウジング２５前後方向の相対移動と、これに伴うレバー６１の動きがより安定化され、先端工具９１の押付けをより精度よく検出することができる。特に、本実施形態では、第１ハウジング２１および第２ハウジング２５は、上下方向に互いに離間して配置された２つの摺動部（上側摺動部５１および下側摺動部５２）を備えている。つまり、第１ハウジング２１および第２ハウジング２５は、上下２箇所で摺動可能である。そして、検出ユニット６は、上側摺動部５１および下側摺動部５２のうち、駆動軸Ａ１により近い上側摺動部５１の近傍に設けられている。ハンマ１では、先端工具９１は駆動軸Ａ１に沿って配置されるため、先端工具９１の被加工物に対する押付けに伴う第２ハウジング２５の前方への相対移動は、駆動軸Ａ１に近い位置の方が正確に検出しやすい。本実施形態では、第１ハウジング２１および第２ハウジング２５の前後方向の摺動を、２つの摺動部によって更に安定化し、且つ、駆動軸Ａ１により近い上側摺動部５の近傍で、先端工具９１の押付けをより精度よく検出することができる。
【０１１６】
また、本実施形態では、コントローラ３０（制御回路３００）は、ホールセンサ６３によって、先端工具９１の押付けが検出されない場合（ホールセンサ６３の出力がオンの場合）、所定の回転速度（初期回転速度）を超えない回転速度でモータ３１を駆動するように構成されている。コントローラ３０（制御回路３００）は、更に、ホールセンサ６３によって先端工具９１の押付けが検出された場合（ホールセンサ６３の出力がオンからオフに変化した場合）、初期回転速度を超える回転速度でモータ３１を駆動可能に構成されている。これにより、先端工具９１が被加工物に押し付けられていない無負荷状態における省電力化を実現することができる。
【０１１７】
また、本実施形態のハンマ１は、モータ３１および駆動機構４を収容する第１ハウジング２１と、２つの動吸振器７とを備えている。駆動機構４は、クランクシャフト４１、ピストン４３およびシリンダ４５を含むクランク機構として構成されている。第１ハウジング２１は、モータ３１を収容するモータハウジング２４と、クランクシャフト４１を収容するクランクハウジング２３と、クランクハウジング２３の前側に配置され、シリンダ４５を収容する円筒状のバレル部２２とを含む。各動吸振器７は、ウェイト７１と、ウェイト７１の前側および後側に配置された２つのバネ７２と、ウェイト７１およびバネ７２を収容する収容部７３とを含む。そして、収容部７３の一部である第１支持部７４と第２支持部７５は、夫々、バレル部２２の一部と、クランクハウジング２３の一部によって構成されている。
【０１１８】
よって、例えば、クランクハウジング２３の前後方向の長さが動吸振器７に必要な長さに満たない場合でも、バレル部２２およびクランクハウジング２３の一部を利用しつつ、動吸振器７を配置することができる。つまり、クランクハウジング２３の前後方向の長さによる制約を受けることなく、動吸振器７を合理的に配置することができる。
【０１１９】
更に、本実施形態では、動吸振器７の収容部７３は、ウェイト７１の少なくとも一部を収容し、前後方向に延在する筒状のスリーブ７６を含む。そして、第１支持部７４と第２支持部７５とは、前後方向において互いから離間して配置され、スリーブ７６を支持している。このような構成により、例えば、第１支持部７４と第２支持部７５の間の距離およびスリーブ７６の長さを適宜変更することで、収容部７３の前後方向の長さ（ウェイト７１のストローク長）を設定することができる。よって、収容部７３の長さ設定の自由度を高めることができる。
【０１２０】
また、本実施形態では、スリーブ７６は、バネ７２の付勢力を利用して、第１ハウジング２１（詳細には、クランクハウジング２３）に保持されている。よって、スリーブ７６をネジ等で第１ハウジング２１に固定する必要がないため、作業者は、収容部７３の組み付けおよび分解を容易に行うことができる。
【０１２１】
更に、本実施形態では、第１支持部７４は、バネ７２の前方への付勢力を受けるバネ受け部として構成されている。より詳細には、第１支持部７４は、前端が閉塞された有底筒状に形成され、内部に挿入されたバネ７２（前側バネ７２１）を保持しつつ、その前端部を受けている。このような構成により、部品数を増やすことなく、バネ７２を効率的に配置することができる。
【０１２２】
また、本実施形態では、２つの動吸振器７は、駆動軸Ａ１を含む仮想平面Ｐに対して対称に配置されている。よって、２つの動吸振器７が、仮想平面Ｐの両側で、バランスよく振動を吸収することができる。
【０１２３】
また、本実施形態では、収容部７３の内部空間は、ウェイト７１の前側に形成される前側空間７３１と、ウェイトの後側に形成される後側空間７３３とを含む。そして、第１支持部７４は、バレル部２２の内部空間と前側空間７３１とを連通させる通路７４１を有し、第２支持部７５は、クランクハウジング２３の内部空間と後側空間７３３とを連通させる通路７４３を有する。このような構成によれば、バレル部２２の内部空間およびクランクハウジング２３の内部空間における圧力変動を利用して、積極的にウェイトを加振することができる。これにより、より効果的に振動を吸収することができる。
【０１２４】
また、本実施形態のハンマ１は、モータ３１および駆動機構４を収容するハウジング２０と、ハウジング２０に設けられ、略直方体形状を有する１つのバッテリ９３を着脱可能なバッテリ装着部２９とを備えている。駆動機構４は、クランクシャフト４１を含むクランク機構として構成されている。クランクシャフト４１は、モータシャフト３１５の後側に配置されており、モータシャフト３１５の回転軸Ａ２に平行な回転軸Ａ３周りに回転可能である。バッテリ装着部２９は、モータ３１の下側に配置されている。また、バッテリ装着部２９は、バッテリ９３を左右方向に装着可能、且つ、バッテリ９３が装着されたときに、バッテリ９３の重心Ｇが、前後方向において（つまり、右側または左側からみて）、回転軸Ａ２と回転軸Ａ３の間に位置するように構成されている。
【０１２５】
このようなバッテリ装着部２９によれば、複数のバッテリが前後方向に並んで装着される場合に比べ、前後方向においてハウジング２０をコンパクトにすることができる。なお、本実施形態では、更に、バッテリ装着部２９は、バッテリ９３の長手方向が左右方向と一致する向きでバッテリ９３を装着可能に構成されている。よって、１つのバッテリが、その長手方向が前後方向と一致する向きで装着される場合に比べても、前後方向においてハウジング２０をコンパクトにすることができる。また、バッテリ装着部２９は、バッテリ装着部２９に装着されたときのバッテリ９３の重心が、比較的重量が大きいモータ３１およびクランクシャフト４１の夫々の重心の近傍に位置するように構成されている。このような重心の集中化により、バッテリ９３の重心がハンマ１の重心から離れることを抑制することができ、作業性に優れたハンマ１が実現されている。
【０１２６】
また、本実施形態では、ハンマ１は、前後方向において、バッテリ装着部２９に対して前側および後側に夫々設けられた前側保護部２８１と後側保護部２８２を有する。前側保護部２８１と後側保護部２８２は、夫々、バッテリ９３の前面側部分および後面側部分を外力から保護するように構成されている。バッテリ装着部２９に装着されたバッテリ９３の露出部分は、外力が加わった場合に損傷を受けやすい箇所である。これに対し、前側保護部２８１および後側保護部２８２を設けることで、バッテリ９３が損傷する可能性を低減することができる。更に、本実施形態では、前側保護部２８１と後側保護部２８２は、夫々、下前端部および下後端部の隅部領域９３０を外力から保護するように構成されている。よって、特に落下時の衝撃による隅部領域９３０の損傷の可能性も効果的に低減することができる。なお、前側保護部２８１および後側保護部２８２は、ハウジング２０の一部によって形成されているため、部品数を増加させることなく、バッテリ９３の保護機能をハンマ１に付加することができる。
【０１２７】
また、本実施形態では、後側保護部２８２の内部には、モータ３１の駆動を制御するように構成された制御回路３００を含むコントローラ３０が配置されている。更に、コントローラ３０は、長さ、幅および厚みを有する略直方体形状を有する。なお、長さ、幅および厚みのうち、長さが最大、厚みが最小である。そして、コントローラ３０は、厚み方向が前後方向と一致し、且つ、長さ方向が左右方向と一致する向きで配置されている。このように、空きスペースとなりやすい後側保護部２８２の内部空間を有効活用して、後側保護部２８２の前後方向および上下方向の長尺化を抑制しつつ、コントローラ３０が、後側保護部２８２の内部に合理的に配置されている。
【０１２８】
更に、ハンマ１は、使用者による把持が可能に構成され、上下方向に延在する筒状の把持部２６と、把持部２６の下端部と後側保護部２８２の後端部とを接続する中空の接続部２８５とを更に備える。よって、空きスペースとなりやすい接続部の内部空間を、例えば、各種部品、配線、コネクタ等の配置スペースとして有効に活用することができる。
【０１２９】
上記実施形態の各構成要素と本発明の各構成要素の対応関係を以下に示す。電動ハンマ１は、「往復動工具」の一例である。モータ３１、モータシャフト３１５、回転軸Ａ２は、夫々、「モータ」、「モータシャフト」、「第１回転軸」の一例である。駆動機構４、クランクシャフト４１、回転軸Ａ２は、夫々、「駆動機構」、「クランクシャフト」、「第２回転軸」の一例である。先端工具９１は、「先端工具」の一例である。駆動軸Ａ１は、「駆動軸」の一例である。ハウジング２０は、「ハウジング」の一例である。バッテリ装着部２９、バッテリ９３は、「バッテリ装着部」、「バッテリ」の一例である。前側保護部２８１、後側保護部２８２は、夫々、「前側保護部」、「後側保護部」の一例である。コントローラ３０、制御回路３００は、夫々、「コントローラ」、「制御回路」の一例である。把持部２６、接続部２８５は、夫々、「把持部」、「接続部」の一例である。吸気口２０１は、「吸気口」の一例である。「無線通信ユニット２８６は、「無線通信ユニット」の一例である。ボタン９３３は、「係合解除用ボタン」の一例である。
【０１３０】
なお、上記実施形態は単なる例示であり、本発明に係る打撃工具は、例示されたハンマ１の構成に限定されるものではない。例えば、下記に例示される変更を加えることができる。なお、これらの変更は、これらのうちいずれか１つのみ、あるいは複数が、実施形態に示すハンマ１、あるいは各請求項に記載された発明と組み合わされて採用されうる。
【０１３１】
上記実施形態では、往復動工具の一例として、打撃工具であって、先端工具９１を直線状に駆動させるハンマ動作のみを行うように構成されたハンマ１が例示されている。しかしながら、本発明は、モータの動力によって先端工具を直線状に往復動させるように構成された作業工具一般に適用可能である。例えば、ハンマ動作に加え、先端工具９１を駆動軸Ａ１周りに回転駆動するドリル動作も遂行可能なハンマドリル、レシプロソー等して具現化されうる。
【０１３２】
また、往復動工具に応じて、モータ３１、駆動機構４、モータ３１および駆動機構４を収容する第１ハウジング２１、第２ハウジング２５の構成や配置関係は適宜変更されうる。以下に、これらについて採用可能な変更について例示する。
【０１３３】
例えば、モータ３１は、ブラシレスモータでなく、ブラシを有するモータであってもよい。
【０１３４】
第１ハウジング２１および第２ハウジング２５の形状は、適宜変更されうる。例えば、上記実施形態では、第１ハウジング２１に弾性連結された第２ハウジング２５は、第１ハウジング２１を部分的に覆う構造を有するが、第２ハウジング２５が覆う第１ハウジング２１の部分やその範囲は、実施形態の例示に限られるものではない。第１ハウジング２１と第２ハウジング２５の間に介在する弾性部材５０１および５０５の配置位置や、種類、数も、任意に選択されうる。なお、弾性部材５０１および５０５として、圧縮コイルバネのほか、各種バネ、ゴム、弾性を有する合成樹脂を採用することができる。
【０１３５】
また、第１ハウジング２１に対して、把持部２６を含むハンドルが弾性連結されてもよい。この場合、ハンドルの上端部および下端部の夫々が、１または複数の弾性部材を介して第１ハウジング２１に連結されてもよいし、ハンドルの上端部のみが片持ち状に第１ハウジング２１に弾性連結されてもよい。更には、ハンドルの上端部が、前後方向に相対移動可能に本体ハウジングに弾性連結される一方、ハンドルの下端部が、左右方向に延在する回動軸周りに回動可能に第１ハウジング２１に支持されてもよい。いずれの場合も、バッテリ装着部２９は、第１ハウジング２１の下端部（モータ３１の下側）に配置されてもよい。第１ハウジング２１とハンドルの間に介在する弾性部材については、弾性部材５０１および５０５と同様である。なお、第２ハウジング２５またはハンドルは、第１ハウジング２１に対して必ずしも弾性連結されている必要はない。
【０１３６】
バッテリ保護部２８０の形状、数、配置位置は、適宜変更されてもよい。例えば、バッテリ保護部２８０は、ハウジング２０の一部として構成されるのではなく、ハウジング２０とは別部材として構成され、ハウジング２０に連結されていてもよい。また、バッテリ保護部２８０は、省略されてもよい。
【０１３７】
第１ハウジング２１と第２ハウジング２５が前後方向に摺動する部分（摺動部）は、上側摺動部５１および下側摺動部５２に限られるものではない。例えば、摺動部は、上下方向において１箇所のみに設けられてもよい。また、複数の摺動部が、上記実施形態で例示されたのとは異なる位置に設けられてもよい。あるいは、摺動部は省略されてもよい。
【０１３８】
上記実施形態では、ハンマ１は、左右一対の動吸振器７を備えている。しかしながら、動吸振器７の構成、配置位置や数は、適宜変更されうる。なお、動吸振器７は省略されてもよい。
【０１３９】
また、上記実施形態では、モータ３１のソフトノーロード制御のために、レバー６１の動きを介して被加工物に対する先端工具９１の押付けを検出する検出ユニット６が設けられている。しかしながら、検出ユニット６に代えて、他の方式で先端工具９１の押付けを検出する検出機構（例えば、加速度センサ）が採用されてもよい。更に、先端工具９１の押付けが検出されない間はモータ３１を駆動せず、先端工具９１の押付けの検出に応じて、モータ３１の駆動を開始する制御が行われてもよい。あるいは、検出ユニット６やその他の検出機構は、設けられなくてもよい。つまり、先端工具９１の押付けの有無に応じて、モータ３１の駆動を制御する必要はない。
【０１４０】
更に、本発明および上記実施形態の趣旨に鑑み、以下の態様が構築される。以下の態様は、実施形態に示すハンマ１および上述の変形例、または各請求項に記載された発明と組み合わされて採用されうる。
［態様１］
前記ハウジングは、
前記モータおよび前記駆動機構を収容する第１ハウジングと、
前記上下方向に延在し、使用者によって把持される把持部を含み、前記第１ハウジングに対し、少なくとも前記前後方向に相対移動可能に弾性連結された第２ハウジングとを含み、
前記バッテリ装着部は、前記第２ハウジングに設けられている。
第１ハウジング２１および第２ハウジング２５は、夫々、本態様の「第１ハウジング」および「第２ハウジング」の一例である。
［態様２］
前記第２ハウジングは、前記把持部の上端部から前方に延在し、前記第１ハウジングを部分的に覆う上側部分と、前記把持部の下端部から前方に延在し、少なくとも部分的に前記モータの下側に配置される下側部分とを含み、
前記バッテリ装着部は、前記下側部分に設けられている。
［態様３］
前記第１ハウジングは、前記駆動機構を収容する駆動機構収容部と、前記駆動機構収容部の下側に配置され、前記モータを収容するモータ収容部とを含み、
前記バッテリ装着部は、前記前後方向において、前記モータ収容部の前端と後端とによって規定される範囲内に配置されている。
バレル部２２およびクランクハウジング２３は、本態様の「駆動機構収容部」の一例である。モータハウジング２４は、「モータ収容部」の一例である。
［態様４］
前記前側保護部および前記後側保護部は、前記ハウジングの一部によって形成されている。
［態様５］
前記前側保護部および前記後側保護部は、夫々、前記バッテリ装着部よりも下方へ突出する突出部として構成されている。
［態様６］
前記前側保護部および前記後側保護部は、前記バッテリ装着部に前記バッテリが装着された場合、前記バッテリの下端よりも下方に突出するように構成されている。
［態様７］
前記バッテリ装着部は、前記バッテリの長手方向が前記左右方向と一致する向きで前記バッテリを装着可能に構成されている。
［態様８］
前記前側保護部および前記後側保護部は、夫々、前記バッテリの下前端部の少なくとも１つの隅部領域および前記バッテリの下後端部の少なくとも１つの隅部領域を外力から保護するように構成されている。
隅部領域９３０は、本態様の「隅部領域」の一例である。
【符号の説明】
【０１４１】
１：電動ハンマ、２０：ハウジング、２０１：吸気口、２１：第１ハウジング、２２：バレル部、２２１：ツールホルダ、２３：クランクハウジング、２３１：後壁部、２３３：ベース部、２４：モータハウジング、２４３：内部後壁部、２４５：ベース部、２４６：ネジ、２５：第２ハウジング、２６：把持部、２６１：トリガ、２６３：スイッチ、２７：上側ハウジング、２７１：後壁部、２７３：当接部、２８：下側ハウジング、２８０：バッテリ保護部、２８１：前側保護部、２８２：後側保護部、２８５：接続部、２８６：無線通信ユニット、２８７：凹部、２９：バッテリ装着部、２９１：フック係合部、２９３：ガイドレール、３０：コントローラ、３００：制御回路、３０１：配線、３１：モータ、３１０：モータ本体部、３１５：モータシャフト、３３：ファン、３５：変速ダイアルユニット、４：駆動機構、４０：運動変換機構、４１：クランクシャフト、４２：連接ロッド、４３：ピストン、４５：シリンダ、４６：打撃要素、４６１：ストライカ、４６３：インパクトボルト、４６５：空気室、５：上側摺動部、５０１：弾性部材、５０４：弾性部材、５０５：弾性部材、５１：上側摺動部、５１１：下端面、５１３：上端面、５２：下側摺動部、５２１：ガイドレール、５２３：ガイド溝、５３１：ストッパ部、５３３：突起、６：検出ユニット、６１：レバー、６１０：レバーアーム、６１１：第１端部、６１２：第２端部、６１５：円筒部、６２：磁石、６３：ホールセンサ、６３１：基板、６５：ホルダ、６５１：ベース、６５３：レバー支持部、６５５：ストッパ突起、６７：コイルバネ、７：動吸振器、７１：ウェイト、７１１：大径部、７１３：小径部、７２：バネ、７２１：前側バネ、７２３：後側バネ、７２５：バネ受け部材、７３：収容部、７３１：前側空間、７３３：後側空間、７４：第１支持部、７４１：通路、７４３：通路、７４４：貫通孔、７４５：貫通孔、７５：第２支持部、７６：スリーブ、７６１：Ｏリング、７６２：Ｏリング、７７：キャップ、７７１：突起、７７２：ストッパピン、７７３：Ｏリング、７７５：溝、８１：先端工具、９１：先端工具、９３：バッテリ、９３０：隅部領域、９３１：フック、９３３：ボタン、９３５：ガイド溝、９７：補助ハンドル、Ａ１：駆動軸、Ａ２：回転軸、Ａ３：回転軸、Ａ４：回動軸
【図１】
2020199608.tif 000003
【図２】
2020199608.tif 000004
【図３】
2020199608.tif 000005
【図４】
2020199608.tif 000006
【図５】
2020199608.tif 000007
【図６】
2020199608.tif 000008
【図７】
2020199608.tif 000009
【図８】
2020199608.tif 000010
【図９】
2020199608.tif 000011
【図１０】
2020199608.tif 000012
【図１１】
2020199608.tif 000013
【図１２】
2020199608.tif 000014
【図１３】
2020199608.tif 000015